(57)【要約】【課題】  送りコードを傷つけたり切断したりすることなく、床暖房パネル本体の配線を簡単に点検することができる床暖房パネル構造を提供するところにある。【解決手段】  床暖房パネル本体（１）の裏面側端部に配線凹部（２）を設けるとともに、この配線凹部（２）の底面に同床暖房パネル本体（１）の表面側に形成されるＶ字状溝（９）に対応した位置に切溝（３）を形成し、さらに、上記配線凹部（２）の底面を被装するように保護プレート（５）を設けた。【選択図】  図１
2005147462.tif 000002
【特許請求の範囲】
【請求項１】
床暖房パネル本体の裏面側端部に配線凹部を設けるとともに、この配線凹部の底面に同床暖房パネル本体の表面側に形成されるＶ字状溝に対応した位置に切溝を形成し、さらに、上記配線凹部の底面を被装するように保護プレートを設けたことを特徴とする床暖房パネル構造。
【請求項２】
上記切溝が、上記配線凹部の周囲に形成されていることを特徴とする請求項１記載の床暖房パネル構造。
【請求項３】
上記保護プレートが、薄い金属板であることを特徴とする請求項１または請求項２記載の床暖房パネル構造。
【発明の詳細な説明】
【技術分野】
【０００１】
本発明は、床暖房パネル構造に関するものであり、具体的には、住宅などの建物内で床部に暖房を施すのに有用な床暖房パネル構造に関するものである。
【背景技術】
【０００２】
従来の床暖房パネル構造としては、例えば、図５および図６に示すごとく、床暖房パネル本体（１）の中央部分にヒーター（８）を配設するとともに、同床暖房パネル本体（１）の裏面側端部に配線溝（１１）を設けて、この配線溝（１１）の中央部にコネクタ（６）が設けられていたものであり、この床暖房パネル本体（１）を複数枚隣接させて雄実（４）を介して連結並設させたときに、上記コネクタ（６）どうしが送りコード（７）にて繋がれて電気的に接続させていたものが知られていた。
【特許文献１】特開２００２−３９５５９号公報
【発明の開示】
【発明が解決しようとする課題】
【０００３】
しかしながら、このような床暖房パネル構造においては、コネクタ（６）どうしが送りコード（７）にて電気的に接続されていたために、床暖房パネル本体（１）の中央部分に配設されたヒーター（８）にて床暖房を充分に行うことができるものの、同床暖房パネル本体（１）に不具合が無く、同床暖房パネル本体（１）の交換が不要な場合で、コネクタ（６）の差込不良などが懸念されるような際には、同コネクタ（６）の部分の結線、すなわち、配線を点検するものであり、このときに、図５に示すごときカッター（１０）などで上記床暖房パネル本体（１）の表面部を切り落とす必要があり、このように上記床暖房パネル本体（１）の表面部を切り落とすと、同床暖房パネル本体（１）としては破壊しながら交換する必要があって、送りコード（７）としては傷付けてしまったり、切断したりする可能性があって、その結果、容易に点検が行えないものであり、しかも、送りコード（７）を傷付けてしまったり、切断してしまうと、現場での修復としても非常に面倒なものであった。
【０００４】
なお、床暖房パネル本体（１）を取り外すことなく、現場での修復を行うことができるものとしては、上記特許文献１に挙げられた特開２００２−３９５５９号公報のようなものが知られていたが、床暖房パネル本体（１）の配線を点検する場合であっても、簡単に点検することができるものが望まれていたものであった。
【０００５】
本発明は、上述の事実に鑑みてなされたものであって、その目的とするところは、送りコードを傷つけたり切断したりすることなく、床暖房パネル本体の配線を簡単に点検することができる床暖房パネル構造を提供することにある。
【課題を解決するための手段】
【０００６】
上記課題を解決するために、本発明においてはつぎのような技術的手段を講じている。すなわち、本発明の請求項１に係る床暖房パネル構造は、床暖房パネル本体（１）の裏面側端部に配線凹部（２）を設けるとともに、この配線凹部（２）の底面に同床暖房パネル本体（１）の表面側に形成されるＶ字状溝（９）に対応した位置に切溝（３）を形成し、さらに、上記配線凹部（２）の底面を被装するように保護プレート（５）を設けたことを特徴としている。
【０００７】
また、本発明の請求項２に係る床暖房パネル構造は、上記切溝（３）が、上記配線凹部（２）の周囲に形成されていることを特徴としている。
【０００８】
さらに、本発明の請求項３に係る床暖房パネル構造は、上記保護プレート（５）が、薄い金属板であることを特徴としている。
【発明の効果】
【０００９】
本発明の床暖房パネル構造によると、床暖房パネル本体（１）の配線を点検する際には、切溝（３）を同床暖房パネル本体（１）の表面側からＶ字状溝（９）にてカッター（１０）などで切断して、床暖房パネル本体（１）の裏面側端部に設けた配線凹部（２）における同床暖房パネル本体（１）の表面部分を切り取ってから取り外し、次いで、配線凹部（２）の底面を被装するように設けた保護プレート（５）を取り外すだけで、床暖房パネル本体（１）の配線を簡単に点検することができるものである。しかも、切溝（３）を床暖房パネル本体（１）の表面側からＶ字状溝（９）にてカッター（１０）などで切断する際には、保護プレート（５）にて配線凹部（２）内が保護されているために、送りコード（７）を傷つけたり切断したりすることは確実にないものとなっている。そして、配線凹部（２）の底面に同床暖房パネル本体（１）の表面側に形成されるＶ字状溝（９）に対応した位置に切溝（３）を形成しているために、このＶ字状溝（９）の部分の厚みが薄くなっており、床暖房パネル本体（１）の表面側からＶ字状溝（９）にてカッター（１０）などで簡単に切断することができるようになっているものである。
【００１０】
このようなことから、本発明は、送りコード（７）を傷つけたり切断したりすることなく、床暖房パネル本体（１）の配線を簡単に点検することができるものである。
【発明を実施するための最良の形態】
【００１１】
以下、この発明を実施するための最良の形態について、図面を参照しながら詳細に説明する。
【００１２】
図１は、本発明の一実施形態に係る床暖房パネル構造を示した平面図である。図２は、本発明の床暖房パネル構造に用いられる一実施形態に係る床暖房パネル本体を示した平面図である。図３は、図２の床暖房パネル本体を示した断面図である。図４は、本発明の一実施形態に係る床暖房パネル構造において、床暖房パネル本体の配線を点検する際の様子を示した平面図である。
【００１３】
本発明の床暖房パネル構造は、図１ないし図４に示すごとく、床暖房パネル本体（１）の裏面側端部に配線凹部（２）を設けるとともに、この配線凹部（２）の底面に同床暖房パネル本体（１）の表面側に形成されるＶ字状溝（９）に対応した位置に切溝（３）を形成し、さらに、上記配線凹部（２）の底面を被装するように保護プレート（５）を設けているものである。
【００１４】
上記床暖房パネル本体（１）は、表面を化粧する表面材などと一体型である、いわゆる、木質一体型のものなど、様々なものを採用することができるものである。例えば、この床暖房パネル本体（１）としては、周囲に合板枠を設けており、基材にロックウールなどの断熱材を取り付けているようなものなどが挙げられるものである。この床暖房パネル本体（１）としては、例えば、大引の上に敷設された根太どうしの間に施工されるものであり、敷設される枚数や同床暖房パネル本体（１）のサイズや形状などは一切制限されるものではなく、必要に応じて、複数枚並設されているものである。
【００１５】
上記床暖房パネル本体（１）の端部には、雄実（４）が形成されているものである。そして、図１および図４に示すごとく、同床暖房パネル本体（１）としては、この雄実（４）を介して複数枚隣接させて連結並設させるものである。
【００１６】
上記配線凹部（２）は、図１ないし図４に示すごとく、上記床暖房パネル本体（１）の裏面側端部に設けられているものである。この配線凹部（２）の中央部分には、コネクタ（６）が設けられているものであり、上述したようにこの床暖房パネル本体（１）を複数枚隣接させて雄実（４）を介して連結並設させたときに、同コネクタ（６）どうしが送りコード（７）にて繋がれて電気的に接続されているものである。
【００１７】
そして、本発明の実施形態では、上記床暖房パネル本体（１）の中央部分に図１および図２、図４に示すごとく、ヒーター（８）を配設しているものである。上記コネクタ（６）どうしが送りコード（７）にて電気的に接続されているために、このようなヒーター（８）にて床暖房を充分に行うことができるようになっているものである。そして、上記床暖房パネル本体（１）の表面部分下部には、必要に応じて、アルミ箔のような均熱板などを設けられていてもかまわないものである。この均熱板が存在することで、上記ヒーター（８）からの熱が均等に床暖房パネル本体（１）の表面に伝わるようにすることができる点で好ましいものである。
【００１８】
なお、上記床暖房パネル本体（１）が、敷設施工されている以外の床スペースには、床暖房を行う必要がない床スペースであるために、例えば、必要に応じて通常の床パネルが敷設施工されているものである。また、上記床暖房パネル本体（１）にて床暖房がなされている際に、同床暖房パネル本体（１）の表面温度が適温に保たれるように温度センサーやサーモスタットや過昇温防止装置などが、必要に応じて、同床暖房パネル本体（１）内に取り付けられて備えていてもかまわないものである。
【００１９】
そして、上記床暖房パネル本体（１）が、敷設施工されている以外の床スペースとしても、同床暖房パネル本体（１）の表面と同一の化粧をするような表面材を貼った通常の床パネルであることが同床暖房パネル本体（１）を敷設した部屋などの床全体の意匠の点から好ましいものである。
【００２０】
上記切溝（３）は、図１ないし図４に示すごとく、上記配線凹部（２）の底面に形成されているものであり、しかも、上記床暖房パネル本体（１）の表面側に形成されるＶ字状溝（９）に対応した位置に形成されているものである。本発明においては、上記床暖房パネル本体（１）の配線を点検する際には、この切溝（３）を同床暖房パネル本体（１）の表面側からＶ字状溝（９）にて図１に示すごときカッター（１０）などで切断して、上記配線凹部（２）における同床暖房パネル本体（１）の表面部分を切り取ってから取り外し、同床暖房パネル本体（１）の配線を点検するようになしているものである。
【００２１】
本発明は、このような構成をとることによって、床暖房パネル本体（１）の配線を点検する際には、切溝（３）を同床暖房パネル本体（１）の表面側からＶ字状溝（９）にてカッター（１０）などで切断して、床暖房パネル本体（１）の裏面側端部に設けた配線凹部（２）における同床暖房パネル本体（１）の表面部分を切り取ってから取り外し、次いで、配線凹部（２）の底面を被装するように設けた保護プレート（５）を取り外すだけで、床暖房パネル本体（１）の配線を簡単に点検することができるものである。しかも、切溝（３）を床暖房パネル本体（１）の表面側からＶ字状溝（９）にてカッター（１０）などで切断する際には、保護プレート（５）にて配線凹部（２）内が保護されているために、送りコード（７）を傷つけたり切断したりすることは確実にないものとなっている。そして、配線凹部（２）の底面に同床暖房パネル本体（１）の表面側に形成されるＶ字状溝（９）に対応した位置に切溝（３）を形成しているために、このＶ字状溝（９）の部分の厚みが薄くなっており、床暖房パネル本体（１）の表面側からＶ字状溝（９）にてカッター（１０）などで簡単に切断することができるようになっているものである。
【００２２】
このようなことから、本発明は、送りコード（７）を傷つけたり切断したりすることなく、床暖房パネル本体（１）の配線を簡単に点検することができるものである。
【００２３】
具体的には、図１ないし図４に示すごとく、上記コネクタ（６）の周囲において、上記床暖房パネル本体（１）の表面のＶ字状溝（９）に合わせた位置に裏面より切溝（３）の加工を設けておき、保護プレート（５）を設定しておくものである。これにより、送りコード（７）を傷つけたり切断したりすることなく、容易に上記コネクタ（６）の部分の結線、すなわち、配線確認ができるものとなる。また、上記床暖房パネル本体（１）の表面のＶ字状溝（９）に合わせてカットするので、補修跡も目立たないものである。
【００２４】
なお、点検や補修の後には、図４に示すごとく、新しい保護プレート（５）や上記床暖房パネル本体（１）の表面を形成する木部のメンテ部品（１２）が取り付けられるものである。そして、このメンテ部品（１２）は、上記床暖房パネル本体（１）の表面のＶ字状溝（９）に合わせて補修されているものであるので、補修跡が目立たないようになっているものである。このメンテ部品（１２）は、床材の裏溝加工をして容易に作製することができるものである。
【００２５】
また、図１ないし図４に示すごとく、上記切溝（３）が、上記配線凹部（２）の周囲に形成されているものであると、この配線凹部（２）の周囲に形成されている切溝（３）をカッター（１０）などにより切断することで、送りコード（７）を傷つけたり切断したりすることなく、床暖房パネル本体（１）の配線をより一層簡単、かつ、確実に点検することができるものである。
【００２６】
さらに、上記保護プレート（５）が、薄い金属板であると、床暖房パネル本体（１）の表面部分を切り取ってから取り外された木部より保護プレート（５）が大きくても、薄い金属板である同保護プレート（５）を曲げながら容易に取り外すことができるものであり、その結果、床暖房パネル本体（１）の配線をより一層簡単、かつ、確実に点検することができるものとなる。
【００２７】
例えば、上記薄い金属板である保護プレート（５）として、特に限定されるものではないが、０．２ｍｍ程度の厚さのアルミニウム板が採用されるものである。このようなアルミニウム板であれば、特に熱伝導性が良くて好ましいものである。
【図面の簡単な説明】
【００２８】
【図１】本発明の一実施形態に係る床暖房パネル構造を示した平面図である。
【図２】本発明の床暖房パネル構造に用いられる一実施形態に係る床暖房パネル本体を示した平面図である。
【図３】図２の床暖房パネル本体を示した断面図である。
【図４】本発明の一実施形態に係る床暖房パネル構造において、床暖房パネル本体の配線を点検する際の様子を示した平面図である。
【図５】一従来例に係る床暖房パネル構造を示した平面図である。
【図６】一従来例に係る床暖房パネル構造に用いられる床暖房パネル本体と送りコードとを示した平面図である。
【符号の説明】
【００２９】
１    床暖房パネル本体
２    配線凹部
３    切溝
５    保護プレート
９    Ｖ字状溝
【図１】
2005147462.tif 000003
【図２】
2005147462.tif 000004
【図３】
2005147462.tif 000005
【図４】
2005147462.tif 000006
【図５】
2005147462.tif 000007
【図６】
2005147462.tif 000008